(57)【要約】【課題】被検体の性状や測定系の構造等による影響を受けにくく高い精度で測定対象の成分量を測定できるようにする。【解決手段】測定対象成分に吸収される波長の第１出射光を被検体に向けて照射し、被検体を透過した第１出射光の強度を示す第１電気信号と所定の補正量とに基づいて測定対象成分の量を求める光学式分析装置において、測定対象成分に対する吸収が少ない波長の第２出射光と被検体を透過した第２出射光の強度を示す第２電気信号と上記補正量との相関を記憶しておき、第２演算部１１３１ｂにおいて、第１出射光とともに測定した第２電気信号を上記相関に対照して第２電気信号に対応する補正量を求め、第１演算部１１３１ａにおいて第１電気信号と求めた上記補正量とに基づいて測定対象となる成分の量を求めるようにする。【選択図】図２Ｃ
2008289790.tif 000002
【特許請求の範囲】
【請求項１】
測定対象となる成分に吸収される波長の第１出射光と、測定対象となる成分による吸収が前記第１出射光よりも少ない波長の第２出射光と、を被検体に向けて照射する出射部と、
前記被検体を透過した前記第１出射光の強度を示す第１電気信号を出力する第１受光部と、
前記被検体を透過した前記第２出射光の強度を示す第２電気信号を出力する第２受光部と、
前記第１電気信号と所定の補正量とに基づいて、前記測定対象となる成分の量を求める第１演算部と、
前記第２電気信号と前記補正量との相関を記憶する記憶部と、
前記相関から前記第２電気信号に対応する前記補正量を求めて前記第１演算部に入力する第２演算部と、
を有し、
前記第１演算部は、前記第1電気信号と前記第２演算部から入力される前記補正量とに基づいて前記測定対象となる成分の量を求めること
を特徴とする光学式分析装置。
【請求項２】
測定対象となる成分に吸収される波長の第１出射光を生成する第１発光部と、
測定対象となる成分による吸収が前記第１出射光よりも少ない波長の第２出射光を生成する第２発光部と、
前記第１出射光と前記第２出射光とを同一光軸上に出射する第１光学素子と、
前記第１光学素子から出射される前記第１出射光及び前記第２出射光を被検体に向けて照射する出射部と、
前記被検体を透過した前記第１出射光及び前記第２出射光が入射される入射部と、
前記入射部に入射する前記第１出射光及び前記第２出射光を分離して出射する第２光学素子と、
前記第２光学素子から出射される前記第１出射光の強度に対応する第１電気信号を生成する第１受光部と、
前記第２光学素子から出射される前記第２出射光の強度に対応する第２電気信号を生成する第２受光部と、
前記第１電気信号と所定の補正量とに基づいて、前記測定対象となる成分の量を求める第１演算部と、
前記第２電気信号と前記補正量との相関を記憶する記憶部と、
前記相関から前記第２電気信号に対応する前記補正量を求めて前記第１演算部に入力する第２演算部と、
を有し、
前記第１演算部は、前記第1電気信号と前記第２演算部から入力される前記補正量とに基づいて、前記測定対象となる成分の量を求めること
を特徴とする光学式分析装置。
【請求項３】
請求項２に記載の光学式分析装置であって、
前記第１光学素子及び前記第２光学素子はダイクロイックミラーを用いて構成され、
前記第１発光部及び前記第２発光部はレーザダイオードを含み、
前記第１受光部及び前記第２受光部はフォトダイオードを含み、
前記第１導波路及び前記第２導波路は光ファイバを含むこと
を特徴とする光学式分析装置。
【請求項４】
請求項２に記載の光学式分析装置であって、
前記測定対象となる成分は血糖であり、
前記第１出射光の波長は血糖の吸収波長であり、
前記第２出射光の波長は血糖の吸収波長と異なる波長であること
を特徴とする光学式分析装置。
【請求項５】
請求項２に記載の光学式分析装置に用いられるプローブであって、
一端に第１開口を有する中空棒状の第１支持部材と、
一端に第２開口を有する中空棒状の第２支持部材と、
前記第１支持部材の前記第１開口が設けられている側とは反対側の端部と、前記第２支持部材の前記第２開口が設けられている側とは反対側の端部とが、支点部材によって連結されて回動可能に軸支され、
前記第１開口及び前記第２開口は対向する位置に設けられ、
前記第１支持部材の中空部には、前記第１光学素子から出射される、前記第１出射光及び前記第２出射光を、前記第１開口に導く第１導波路が設けられ、
前記第２支持部材の中空部には、前記被検体を透過して前記第２開口から入射する、前記第１出射光及び前記第２出射光を、前記第２光学素子に導く第２導波路が設けられていること
を特徴とするプローブ。
【発明の詳細な説明】
【技術分野】
【０００１】
この発明は、光学式分析装置及びこれに用いられるプローブに関する。
【背景技術】
【０００２】
光学式分析装置として、例えば、特許文献１には、血液中の糖分を測定する血糖値計に関し、発光素子から放射した光を人体の一部を介して受光素子が受けるようにし、検出したピーク波長から温度を推定し、推定した温度によって吸光度を補正した血糖値を表示することが記載されている。
【０００３】
また特許文献２には、人体に照射する光を放射する発光素子と、人体を透過した透過光あるいは人体に反射された反射光を受光する受光素子と、受光素子から受けた信号から吸光度及び血糖値を演算する血糖値計が記載されている。
【特許文献１】特開平１０−１５５７７５号公報
【特許文献２】特開平１１−１７８８１４号公報
【発明の開示】
【発明が解決しようとする課題】
【０００４】
図５に血糖値計１の一例を示している。この血糖値計１は、ＣＰＵ等からなる制御部１１、レーザダイオード等の発光素子からなる発光部１３、フォトダイオード等の受光素子からなる受光部２０、操作ボタン等からなる操作部２１、及び液晶ディスプレイ等の表示部２２を有する。制御部１１は、発光部１３の駆動制御、受光部２０からの透過光の強度を示す信号の受信、各種演算、表示部２２への測定結果の表示等を行う。発光部１３から出射する出射光には、測定対象となる成分に吸収される波長が選択され、例えば近赤外光（例えば１５８０ｎｍ）が選択される。
【０００５】
血糖値計１は、出射光の被検体２による吸収量に基づいて血糖値を測定する。ここで出射光の吸収量は、測定対象成分の濃度Ｃに比例する。すなわち、波長λにおける吸光度をＩ（λ）、出射光の波長をλ、強度をＬ０(λ）とし、透過光の強度をＬ（λ）とすると次式が成り立つ(ランベルト・ベールの法則）。  
吸光度Ｉ（λ）＝ｌｏｇ（Ｌ０（λ）／Ｌ（λ））＝Ｋ・Ｃ  （Ｋは定数）  
このため、出射光の強度Ｌ０（λ）と透過光の強度Ｌ（λ）を測定すれば、測定対象成分の濃度Ｃ、すなわち血糖値を測ることができる。
【０００６】
ところで、上記原理に基づく測定では、被検体２の性状や測定系の構造等に起因する誤差が問題となる。とくに血糖値計１は被検体２が人体であるため、被検体２ごとに性状が異なり、測定に際し補正量（オフセット量）が一定しないという問題がある。またプローブの構造によっては光路長や光の拡散度が一定せず、これも補正量を変動させる要因となる。具体例を示す。例えば、図６Ａに示すプローブ３は、第１支持部材３１ａと第２支持部材３１ｂの先端に対向させて発光部１３及び受光部２０が設けてあり、被検体２をこれら２つの支持部材３１ａ，３１ｂの間に挟んだ状態で測定を行う構成であるが、図６Ｂに示すように、被検体２を挟持した状態では、被検体２ごとに光路長や発光部１３及び受光部２０の光学軸６１ａ，６１ｂのずれ量が変化してしまうため、上記補正量が被検体２ごとに変化してしまう。
【０００７】
本発明はこのような問題に鑑みてなされたもので、被検体２の性状や測定系の構造等による影響を受けにくく、高い精度で成分量を測定することが可能な光学式分析装置及びこれに用いられるプローブを提供することを目的とする。
【課題を解決するための手段】
【０００８】
上記目的を達成するための本発明のうちの主たる発明は、光学式分析装置であって、測定対象となる成分に吸収される波長の第１出射光と、測定対象となる成分による吸収が前記第１出射光よりも少ない波長の第２出射光と、を被検体に向けて照射する出射部と、前記被検体を透過した前記第１出射光の強度を示す第１電気信号を出力する第１受光部と、前記被検体を透過した前記第２出射光の強度を示す第２電気信号を出力する第２受光部と、前記第１電気信号と所定の補正量とに基づいて、前記測定対象となる成分の量を求める第１演算部と、前記第２電気信号と前記補正量との相関を記憶する記憶部と、前記相関から前記第２電気信号に対応する前記補正量を求めて前記第１演算部に入力する第２演算部と、を有し、前記第１演算部は、前記第1電気信号と前記第２演算部から入力される前記補正量とに基づいて前記測定対象となる成分の量を求めることとする。
【０００９】
本発明の光学式分析装置は、被検体を透過する第１出射光の強度に基づく成分量の測定に際し、第２出射光の透過光の強度を測定し、測定した第２出射光の強度に基づき上記成分量測定のための補正量を求める。ここで第２出射光の透過光の強度には、被検体２の性状や測定系の構造等による影響を示す情報が含まれている。このため、第２出射光の透過光の強度と上記補正量の相関をあらかじめ求めておくことで、第１出射光の強度とともに測定した第２出射光の強度から適切な補正量を求めることができる。従って、本発明の光学式分析装置は、被検体２の性状や測定系の構造等による影響を受けにくく、高い精度で成分量を測定することが可能となる。
【発明の効果】
【００１０】
本発明によれば、被検体の性状や測定系の構造等による影響を受けにくく、高い精度で成分量を測定することができる。
【発明を実施するための最良の形態】
【００１１】
以下、本発明の実施形態について詳細に説明する。図１Ａに本発明の光学式分析装置の一例として示す血糖値計１の概略的な構成を示している。また図１Ｂに血糖値計１の具体的な構成例を示している。図１Ａ又は図１Ｂに示すように、血糖値計１は、制御部１１、第１発光部１３ａ、第２発光部１３ｂ、ダイクロイックミラー１４、第１導波路１５、出射部１６、入射部１７、第２導波路１８、ダイクロイックミラー１９、第１受光部２０ａ、第２受光部２０ｂ、操作ボタン等からなる操作部２１、測定結果や設定情報等を表示する液晶ディスプレイ等からなる表示部２２、等を含んで構成されている。
【００１２】
制御部１１は、ＣＰＵ（Central Processing Unit）やＤＳＰ（Digital Signal Processor）などのプロセッサを用いて構成されている。制御部１１は、各種演算処理や操作部２１からの操作入力の受け付け、表示部２２の表示制御等、血糖値計１が有するハードウエアの統括的な処理を行う。
【００１３】
図１Ｂに示すように、第１発光部１３ａは、測定対象となる成分（血糖：グルコース）の吸収波長である、波長λ１の光（例えば、１５８０ｎｍの近赤外光。以下、第１出射光と称する。）を出射するレーザダイオード１３１ａ、レーザドライバ１３２ａ、ビームスプリッタ１３３ａ、フォトダイオード等からなる受光素子１３４ａ等を含んで構成されている。
【００１４】
一方、第２発光部１３ｂは、測定対象となる成分である血糖（グルコース）による吸収が少ない波長λ２の光（例えば、６６０ｎｍの赤色可視光。以下、第２出射光と称する。）を出射するレーザダイオード１３１ｂ、レーザドライバ１３２ｂ、ビームスプリッタ１３３ｂ、フォトダイオード等からなる受光素子１３４ｂ等を含んで構成されている。
【００１５】
ダイクロイックミラー１４（第１光学素子）には、第１発光部１３ａから出射した第１出射光、及び、第２発光部１３ｂから出射した第２出射光が入力される。ダイクロイックミラー１４は、第１出射光及び第２出射光を同一光軸上に出射する。  
ダイクロイックミラー１４から出射された第１出射光及び第２出射光は、光ファイバ等の第１導波路１５によって出射部１６に導かれ、ここから被検体２に向けて照射される。
【００１６】
入射部１７には、被検体２を透過した第１出射光及び第２出射光が入射する。入射部１７に入射した第１出射光及び第２出射光は、いずれも第２導波路１８を通ってダイクロイックミラー１９に導かれる。図１Ｂに示すように、本実施形態の血糖値計１では、第１導波路１５、出射部１６、入射部１７、第２導波路１８が、プローブ３として一体化されている。なお、このプローブ３の構成については後述する。
【００１７】
ダイクロイックミラー１９（第２光学素子）に入力された光は、第１出射光と第２出射光とに分離され、第１出射光は第１受光部２０ａに、第２出射光は第２受光部２０ｂにそれぞれ入力される。
【００１８】
第１受光部２０ａは、波長λ１に対して感度を有するフォトダイオード２０１ａを用いて構成されている。また第２受光部２０ｂは、波長λ２に対して感度を有するフォトダイオード２０１ｂを用いて構成されている。
【００１９】
なお、以上に説明した構成のほか、血糖値計１にはコリメータレンズや集光レンズ等の光学素子、及び増幅回路等の電気／電子素子等が適所に設けられている。
【００２０】
図２Ａに、図１Ｂに示した制御部１１の概略的な構成を示している（周辺構成については破線で示してある）。制御部１１は、中央制御部１１１、駆動部１１２、演算処理部１１３、及び記憶部１１４を有する。中央制御部１１１は、駆動部１１２の制御や演算処理部１１３からの処理結果の受信、操作部２１からの操作入力の受け付け、表示部２２の表示制御を行う。駆動部１１２は、第１発光部１３ａ又は第２発光部１３ｂの点灯制御、発光強度の制御、発光タイミングの制御等を行う。演算処理部１１３は、第１受光部２０ａ及び第２受光部２０ｂから出力されるアナログの電気信号が入力される。演算処理部１１３は、入力された電気信号に演算処理を施して、その処理結果等を中央制御部１１１に入力する。記憶部１１４は、ＲＡＭ／ＲＯＭ等のメモリや磁気記録媒体を用いて構成され、演算処理部１１４によりアクセスされる。記憶部１１４には後述する相関に相当するデータが記憶される。
【００２１】
図２Ｂに、図２Ａに示した駆動部１１２の詳細構成を示している（周辺構成については破線で示してある）。同図に示すように、駆動部１１２は、レーザー制御部１１２１、ＡＰＣ１１２２ａ、ＡＰＣ１１２２ｂ（APC：Automatic Power Control）、Ａ／Ｄコンバータ１１２３ａ、Ａ／Ｄコンバータ１１２３ｂ、Ｄ／Ａコンバータ１１２４ａ、及びＤ／Ａコンバータ１１２４ｂを含んで構成されている。
【００２２】
レーザー制御部１１２１は、中央制御部１１１からの指示に応じて、ＡＰＣ１１２２ａに対してはレーザダイオード１３１ａについての制御信号を、ＡＰＣ１１２２ｂに対してはレーザダイオード１３１ｂについての制御信号を、それぞれ出力する。ＡＰＣ１１２２ａ、及びＡＰＣ１１２２ｂは、それぞれ受光素子１３４ａ、１３４ｂから入力されるリファレンス電圧に基づくフィードバック制御を行って、レーザダイオード１３１ａ及びレーザダイオード１３１ｂの出力を安定化する。
【００２３】
図２Ｃに、図２Ａに示した演算処理部１１３の構成を示している（周辺構成については破線で示してある）。演算処理部１１３は、第１受光部２０ａから入力される第１電気信号、及び第２受光部２０ｂから入力される第２電気信号に演算処理を行う。演算処理部１１３は、第１演算部１１３１ａ、第２演算部１１３１ｂ、バンドパスフィルタ１１３３ａ、１１３３ｂ、Ａ／Ｄコンバータ１１３４ａ、及びＡ／Ｄコンバータ１１３４ｂを含んで構成されている。なお、第１演算部１１３１ａ、及び第２演算部１１３１ｂは、ハードウエアロジック又はソフトウエアロジックによって構成されている。
【００２４】
バンドパスフィルタ１１３３ａは、第１受光部２０ａから供給される第１電気信号に含まれるノイズ成分を除去し、波長λ１の光に対応する信号成分を選択する。バンドパスフィルタ１１３３ｂは、第２受光部２０ｂから供給される第２電気信号に含まれるノイズ成分を除去し、波長λ２の光に対応する信号成分を選択する。
【００２５】
図３Ａにプローブ３の一例を示す。同図に示すように、プローブ３は、略直方体形状（棒状）を呈する第１支持部材３１ａ及び第２支持部材３１ｂを含んで構成されている。第１支持部材３１ａの一端には、出射部１６となる開口（以下、第１開口１３１ａと称する。）が、第２支持部材３１ｂの一端には入射部１７となる開口（以下、第２開口１３１ｂと称する）が、それぞれ設けられている。
【００２６】
第１開口１３１ａが設けられている側とは反対側の端部と、第２開口１３１ｂが設けられている側とは反対側の端部とは、支点部材３２によって連結されており、これにより第1支持部材３１ａ及び第２支持部材３１ｂは、支点部材３２を中心として回動可能に軸支されている。同図に示すように、第１開口１３１ａ及び第２開口１３１ｂは、対向する位置に設けられている。
【００２７】
第１支持部材３１ａ及び第２支持部材３１ｂは、いずれも中空構造である。第１支持部材３１ａの中空部には、第１導波路１５を構成する光ファイバ１５１が収容されている。第２支持部材３１ｂの中空部には、第２導波路１８を構成する光ファイバ１８１が収容されている。
【００２８】
第１開口１３１ａの近傍には、第１導波路１５の端部から出射される光を集光するレンズ３３ａ、及びレンズ３３ａから出射される光の進路を変えるミラー３４ａが収容されている。開口１３１ｂの近傍には、開口１３１ｂに入射する光の進路を変えるミラー３４ｂ、及びミラー３４ｂで反射された光を集光して第２導波路１８に導くレンズ３３ｂが収容されている。
【００２９】
図３Ｂに、被検体２がセットされた際のプローブ３の状態を示している。同図に示すように、漏れ光による測定誤差を防ぐため、測定に際し、被検体２は第１開口１３１ａ及び第２開口１３１ｂに密着させるようにして第１支持部材３１ａと第２支持部材３１ｂとの間に挟み込まれる。
【００３０】
次に、以上に説明した構成からなる血糖値計１を用いた血糖値の測定方法について、図面を参照しつつ説明する。  
測定に際しては、まずユーザが、被検体２（例えば、耳たぶ、手の指と指の間の薄肉部分）をプローブ３の第１支持部材３１ａと第２支持部材３１ｂとの間に挟み込み、操作部２１に対して測定開始操作を行う。測定開始操作が行われると、第１発光部１３ａから第１出射光が、第２発光部１３ｂから第２出射光が、それぞれ出射されてダイクロイックミラー１４に入力される。ダイクロイックミラー１４に入力された第１出射光及び第２出射光は、ダイクロイックミラー１４から同一光軸上の光として出射し、第１導波路１５によって出射部１６に導かれ、出射部１６から被検体２に向けて照射される。なお、第１出射光及び第２出射光は、必ずしも同時に（同じ期間に）照射しなくてもよい。例えば、タイミングをずらして交互に照射するようにしてもよい。
【００３１】
被検体２に照射された第１出射光及び第２出射光の一部は、被検体２を透過して入射部１７に入射する。入射部１７に入射した第１出射光及び第２出射光の透過光は、第２導波路１８を通ってダイクロックミラー１９に導かれ、ダイクロックミラー１９において、第１出射光と第２出射光とに分離される。分離された第１出射光は、第１受光部２０ａに入力され、第２出射光は、第２受光部２０ｂに入力される。
【００３２】
第１受光部２０ａは、入力された第１出射光を光電変換した第1電気信号（第１出射光の強度に対応した電気信号）を出力する。また第２受光部２０ｂは、入力された第２出射光を光電変換した第２電気信号（第２出射光の強度に対応した電気信号）を出力する。第１受光部２０ａから出力される第１電気信号、及び第２受光部２０ｂから出力される第２電気信号は、いずれも制御部１１の演算処理部１１３に入力される。
【００３３】
図２Ｃに示すように、演算処理部１１３に入力された第１電気信号はＡ／Ｄコンバータ１１３４ａによってデジタル値に変換され、バンドパスフィルタ１１３３ａを通過して第１演算部１１３１ａに入力される。一方、第２電気信号は、Ａ／Ｄコンバータ１１３４ｂによってデジタル値に変換され、バンドパスフィルタ１１３３ｂを通過して第２演算部１１３１ｂに入力される。
【００３４】
第１演算部１１３１ａは、第１電気信号と第２演算部１１３１ｂによって求められる後述の補正量とに基づいて、血糖値を求める。第２演算部１１３１ｂは、あらかじめ記憶部１１４に記憶されている第２電気信号と上記補正量との相関を参照し、第２受光部２０ｂから入力される第２電気信号に対応する上記補正量を求める。
【００３５】
ここで第２出射光は、血糖による吸収が少ない波長であるため、第２出射光の透過光の強度には、被検体２の形態、プローブ３の構造等に起因する光路長や光軸の違い、被検体２ごとの拡散度の違い、温度等の測定条件の変化、血糖以外の成分に関する情報等、測定環境に関する情報が反映されており、第２出射光の透過光の強度と上記補正量とは、一定の相関を有する。従って、この相関をあらかじめ実測やシミュレーションにより求めておくことで、測定された第２出射光の強度から、第１演算部１１３１ａが血糖値を求める際の補正量を得ることができる。図４Ａに上記相関の一例を示す。
【００３６】
なお、実際に測定した第２出射光の強度（第２電気信号）をＶＤＴとし、上記補正量を相関関数Ｆｖｄ（ＶＤＴ）とし、測定された第１出射光の強度（第１電気信号）をｉｒｄとし、これらと血糖値の関係を示す関数をｆとすると、血糖値は次式から求めることができる。  
血糖値＝ｆ（ｉｒｄ，Ｆｖｄ（ＶＤＴ））
図４Ｂに上式により求められるｉｒｄ及びＦｖｄ（ＶＤＴ）と血糖値の関係を一例として示す。
【００３７】
第1演算部１１３１ａ及び第２演算部１１３１ｂは、以上の原理に従い血糖値を求める。すなわち、第２演算部１１３１ｂは、記憶部１１４に記憶されているＶＤＴとＦｖｄ（ＶＤＴ）との関係を示すデータを参照し、バンドパスフィルタ１１３３ｂから入力される信号から補正量Ｆｖｄ（ＶＤＴ）を求め、求めた補正量Ｆｖｄ（ＶＤＴ）を第１演算部１１３１ａに入力する。
【００３８】
一方、第１演算部１１３１ａは、第２演算部１１３１ｂから入力される補正量Ｆｖｄ（ＶＤＴ）と、バンドパスフィルタ１１３３ａから入力される信号（第２出射光（近赤外光）の透過光の強度（ｉｒｄ）と、記憶部１１４に記憶されている、第２出射光の透過光の強度ｉｒｄ、Ｆｖｄ（ＶＤＴ）、及びｆ（ｉｒｄ，Ｆｖｄ（ＶＤＴ））との関係を示すデータとに基づいて血糖値を求め、求めた血糖値を中央制御部１１１に出力する。中央制御部１１１は、入力された血糖値を表示部２２に表示する。
【００３９】
以上に説明したように、本実施形態の血糖値計１は、第１出射光（近赤外光）に基づいて血糖値を求める際の補正量を、第２出射光の強度に基づいて求め、求めた補正量Ｆｖｄ（ＶＤＴ）及び第１出射光の強度ｉｒｄを、記憶部１１４に記憶されているｉｒｄ、Ｆｖｄ（ＶＤＴ）、及び血糖値ｆとの関係を示すデータに対照することにより血糖値を求める。このため、被検体２の性状や測定系の構造等による影響を受けにくく、高い精度で血糖値を測定することができる。
【００４０】
以上、本発明の一実施形態につき詳細に説明したが、上述した実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００４１】
【図１Ａ】本発明の一実施形態として説明する血糖値計１の概略的な構成を示す図である。
【図１Ｂ】本発明の一実施形態として説明する血糖値計１の具体的な構成例を示す図である。
【図２Ａ】本発明の一実施形態として説明する制御部１１の概略的な構成を示す図である。
【図２Ｂ】本発明の一実施形態として説明する駆動部１１２の詳細構成を示す図である。
【図２Ｃ】本発明の一実施形態として説明する演算処理部１１３の詳細構成を示す図である。
【図３Ａ】本発明の一実施形態として説明するプローブ３の一例を示す図である。
【図３Ｂ】本発明の一実施形態として説明するプローブ３の一例を示す図である。
【図４Ａ】本発明の一実施形態として説明する第２出射光（赤色可視光）の強度と補正量との相関の一例を示す図である。
【図４Ｂ】本発明の一実施形態として説明するｉｒｄ及びＦｖｄ（ＶＤＴ）と、血糖値との関係の一例を示す図である。
【図５】血糖値計１の構成例を示す図である。
【図６Ａ】プローブ３の一例を示す図である。
【図６Ｂ】プローブ３の一例を示す図である。
【符号の説明】
【００４２】
１  血糖値計
２  被検体
３  プローブ
１１  制御部
１３ａ  第１発光部
１３ｂ  第２発光部
１４  ダイクロイックミラー
１５  第１導波路
１６  出射部
１７  入射部
１８  第２導波路
１９  ダイクロイックミラー
２０ａ  第１受光部
２０ｂ  第２受光部
１１２  駆動部
１１３  演算処理部
１１３１ａ  第１演算部
１１３１ｂ  第２演算部
１３１ａ  第１開口
１３１ｂ  第２開口
【図１Ａ】
2008289790.tif 000003
【図１Ｂ】
2008289790.tif 000004
【図２Ａ】
2008289790.tif 000005
【図２Ｂ】
2008289790.tif 000006
【図２Ｃ】
2008289790.tif 000007
【図３Ａ】
2008289790.tif 000008
【図３Ｂ】
2008289790.tif 000009
【図４Ａ】
2008289790.tif 000010
【図４Ｂ】
2008289790.tif 000011
【図５】
2008289790.tif 000012
【図６Ａ】
2008289790.tif 000013
【図６Ｂ】
2008289790.tif 000014